【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
位置符号化パターンを用いて製品から情報を記録するユーザ・ユニットと、前記ユーザ・ユニットから情報が送信される中央ユニットと、を備えた情報を取り扱うためのシステムであって、
位置符号化パターンにより定義される仮想表面に、情報の取り扱いを制御するための複数の領域が設けられており、前記領域のそれぞれに関しての科目が、前記中央ユニットに記憶されており、
前記ユーザ・ユニットは、
前記仮想表面上の少なくとも１つの位置を含む情報を記録する手段と、
記録した前記情報を前記中央ユニットへ送信する手段と、
を備え、
前記中央ユニットは、
前記ユーザ・ユニットから受信した前記情報に含まれる前記少なくとも１つの位置が属する領域を識別し、識別した前記領域に関して記憶された科目に基づいて前記情報の取り扱い方を決定する手段を備えることを特徴とするシステム。
【請求項２】
前記領域の所有者が、前記領域に関して記憶された科目によって定義されている請求項１に記載のシステム。
【請求項３】
前記領域に属するものとして識別された前記情報の取り扱いに関しての規則が、前記領域に関して記憶された科目によって定義されている請求項１又は２に記載のシステム。
【請求項４】
前記中央ユニットが、前記ユーザ・ユニットから受信した前記情報を受取人へ転送するよう構成されている請求項１〜３の何れか１つに記載のシステム。
【請求項５】
前記受取人が、前記領域に関して記憶された科目によって定義されている請求項４に記載のシステム。
【請求項６】
前記システムは、複数の前記ユーザ・ユニットを備え、
前記受取人が、前記複数のユーザ・ユニットのうちの１つである請求項４又は５に記載のシステム。
【請求項７】
前記中央ユニットが、前記領域に関して記憶された科目により定義された所定のデータ・パケットを前記受取人のために前記情報に添付するよう構成されている請求項４〜６の何れか１つに記載のシステム。
【請求項８】
前記中央ユニットが、前記ユーザ・ユニットから受信した前記情報を、前記領域に関して記憶された科目により指定された場所に記憶するよう構成されている請求項１〜７の何れか１つに記載のシステム。
【請求項９】
前記中央ユニットが、前記ユーザ・ユニットから受信した前記情報を、前記領域に関して記憶された科目により定義された方法で処理するよう構成されている請求項１〜８の何れか１つに記載のシステム。
【請求項１０】
前記少なくとも１つの位置が、文字を定義する複数の位置であり、
前記中央ユニットが、前記受信した位置を少なくとも１つの文字に変換するよう構成されている請求項１〜９の何れか１つに記載のシステム。
【請求項１１】
前記ユーザ・ユニットが、ペン先を有している請求項１〜１０の何れか１つに記載のシステム。
【請求項１２】
前記ユーザ・ユニットが、固有のユーザ識別子を有し、前記ユーザ識別子を前記中央ユニットへの前記情報に含ませるよう構成されている請求項１〜１１の何れか１つに記載のシステム。
【請求項１３】
前記システムは、複数の製品をさらに備え、
前記複数の製品から前記少なくとも１つの情報が記録される請求項１〜１２の何れか１つに記載のシステム。
【請求項１４】
前記仮想表面上の複数の位置を符号化する位置符号化パターンのサブセットが、前記複数の製品のそれぞれに提供されており、
前記ユーザ・ユニットにより記録される前記位置が、前記仮想表面上の位置であると共に、前記製品上の前記位置符号化パターンのサブセットを用いることによって記録されるものである請求項１３に記載のシステム。
【請求項１５】
前記位置符号化パターンが、シンボルで構成され、前記仮想表面上の各位置が、所定数のシンボルにより符号化され、
前記ユーザ・ユニットが、情報を生成するために前記サブセット上で動かされたときに、前記シンボルを連続的に記録して、複数の座標の形式で動きの線図を得るよう構成されている請求項１４に記載のシステム。
【請求項１６】
前記ユーザ・ユニットが、各位置に関し符号化された形式の少なくとも２つの座標を記録することにより前記情報を記録し、前記符号化された座標をデコードし、更に、前記中央ユニットへの前記情報内に少なくとも前記座標を含ませるよう構成されている請求項１〜１５の何れか１つに記載のシステム。
【請求項１７】
前記ユーザ・ユニットが、前記仮想表面上の少なくとも一つの位置を、記録された情報を前記ユーザ・ユニットから前記中央ユニットへ送信開始する動作に関連付けるように構成されている請求項１〜１６の何れか１つに記載のシステム。
【請求項１８】
複数の製品と、位置符号化パターンを用いて前記製品から情報を記録する複数のユーザ・ユニットと、前記ユーザ・ユニットから情報が送信される中央ユニットと、を備えた情報を取り扱うためのシステムであって、
位置符号化パターンにより定義される仮想表面に、情報の取り扱いを制御するための複数の領域が設けられており、前記領域のそれぞれに関しての科目が、前記中央ユニットに記憶されており、
前記複数の製品のそれぞれは、
少なくとも１つの仮想表面上の複数の位置を符号化する位置符号化パターンのサブセットを有し、
前記複数のユーザ・ユニットのそれぞれは、
前記仮想表面上の少なくとも１つの位置を含む情報を、前記製品上の前記位置符号化パターンのサブセットを用いることによって記録する手段と、
記録した前記情報を前記中央ユニットへ送信する手段と、
を備え、
前記中央ユニットは、
前記ユーザ・ユニットから受信した前記情報に含まれる前記少なくとも１つの位置が属する領域を識別し、識別した前記領域に関して記憶された科目に基づいて前記情報の取り扱い方を決定する手段を備えることを特徴とするシステム。
【請求項１９】
前記複数のユーザ・ユニットのそれぞれが、前記仮想表面上の少なくとも一つの位置を、記録された情報を前記ユーザ・ユニットから前記中央ユニットへ送信開始する動作に関連付けるように構成されている請求項１８に記載のシステム。
【請求項２０】
前記複数の製品は、記録された情報を前記ユーザ・ユニットから前記中央ユニットへ送信開始する動作を符号化するための同じ位置符号化パターンのサブセットを備えている請求項１９に記載のシステム。
【請求項２１】
ユーザ・ユニットが位置符号化パターンを用いて製品から記録した情報を取り扱うためのシステムに組み込まれる中央ユニットであって、
位置符号化パターンにより定義される仮想表面に、情報の取り扱いを制御するための複数の領域が設けられており、
前記中央ユニットは、
前記領域のそれぞれに関しての科目を記憶する手段と、
前記ユーザ・ユニットから前記仮想表面上の少なくとも１つの位置を含む情報を受信する手段と、
受信した前記情報に含まれる前記少なくとも１つの位置が属する領域を識別し、識別した前記領域に関して記憶された科目に基づいて前記情報の取り扱い方を決定する手段と、
を備えることを特徴とする中央ユニット。
【請求項２２】
前記領域の所有者が、前記領域に関して記憶された科目によって定義されている請求項２１に記載の中央ユニット。
【請求項２３】
前記領域に属するものとして識別された前記情報の取り扱いに関しての規則が、前記領域に関して記憶された科目によって定義されている請求項２１又は２２に記載の中央ユニット。
【請求項２４】
前記情報を受取人へ転送するよう構成されている請求項２１〜２３の何れか１つに記載の中央ユニット。
【請求項２５】
前記領域に関して記憶された科目により定義された所定のファイルを、前記受取人のために前記情報に添付するよう構成されている請求項２１〜２４の何れか１つに記載の中央ユニット。
【請求項２６】
前記情報を、前記領域に関して記憶された科目により指定された場所に記憶するよう構成されている請求項２１〜２５の何れか１つに記載の中央ユニット。
【請求項２７】
前記情報を、前記領域に関して記憶された科目により定義された方法で処理するよう構成されている請求項２１〜２６の何れか１つに記載の中央ユニット。
【請求項２８】
前記受信した位置を少なくとも１つの文字に変換するよう構成されている請求項２７に記載の中央ユニット。
【請求項２９】
ユーザ・ユニットが位置符号化パターンを用いて製品から記録した情報を取り扱うための方法であって、
位置符号化パターンにより定義される仮想表面に、情報の取り扱いを制御するための複数の領域が設けられており、前記領域のそれぞれに関しての科目が、中央ユニットに記憶されており、
前記方法は、
前記ユーザ・ユニットが、前記仮想表面上の少なくとも１つの位置を含む情報を記録し、記録した前記情報を前記中央ユニットへ送信することと、
前記中央ユニットが、前記ユーザ・ユニットから受信した前記情報に含まれる前記少なくとも１つの位置が属する領域を識別し、識別した前記領域に関して記憶された科目に基づいて前記情報の取り扱い方を決定することと、
を含むことを特徴とする方法。
【請求項３０】
前記領域の所有者が、前記領域に関して記憶された科目によって定義されている請求項２９に記載の方法。
【請求項３１】
前記領域に属するものとして識別された前記情報の取り扱いに関しての規則が、前記領域に関して記憶された科目によって定義されている請求項２９又は３０に記載の方法。
【請求項３２】
前記中央ユニットが、前記ユーザ・ユニットから受信した前記情報を受取人へ転送するよう構成されている請求項２９〜３１の何れか１つに記載の方法。
【請求項３３】
前記受取人が、前記領域に関して記憶された科目によって定義されている請求項３２に記載の方法。
【請求項３４】
前記中央ユニットが、前記ユーザ・ユニットから受信した前記情報を、前記ユーザ・ユニットへ送り返す請求項３２又は３３に記載の方法。
【請求項３５】
前記中央ユニットが、前記領域に関して記憶された科目により定義された所定のデータ・パケットを前記受取人のために前記情報に添付する請求項３２〜３４の何れか１つに記載の方法。
【請求項３６】
前記中央ユニットが、前記ユーザ・ユニットから受信した前記情報を、前記領域に関して記憶された科目により指定された場所に記憶する請求項２９〜３５の何れか１つに記載の方法。
【請求項３７】
前記中央ユニットが、前記ユーザ・ユニットから受信した前記情報を、前記領域に関して記憶された科目により定義された方法で処理する請求項２９〜３６の何れか１つに記載の方法。
【請求項３８】
前記少なくとも１つの位置が、文字を定義する複数の位置であり、
前記中央ユニットが、前記受信した位置を少なくとも１つの文字に変換する請求項２９〜３７の何れか１つに記載の方法。
【請求項３９】
前記ユーザ・ユニットが、固有のユーザ識別子を有し、前記ユーザ識別子を前記中央ユニットへの前記情報に含ませる請求項２９〜３８の何れか１つに記載の方法。
【請求項４０】
前記少なくとも１つの位置が、製品上で記録される請求項２９〜３９の何れか１つに記載の方法。
【請求項４１】
前記ユーザ・ユニットが、ペン先を有しており、
前記ペン先は、前記少なくとも１つの位置の記録の間に前記製品上にマークを付ける請求項２９〜４０の何れか１つに記載の方法。
【請求項４２】
前記製品が、前記仮想表面上の複数の位置を符号化する位置符号化パターンのサブセットを有し、
前記ユーザ・ユニットにより記録される前記位置が、前記仮想表面上の位置であると共に、前記製品上の前記位置符号化パターンのサブセットを用いることによって記録されるものである請求項４０又は４１に記載の方法。
【請求項４３】
前記位置符号化パターンが、シンボルで構成され、前記仮想表面上の各位置が、所定数のシンボルにより符号化され、
前記ユーザ・ユニットが、情報を生成するために前記サブセット上で動かされたときに、前記シンボルを連続的に記録して、複数の座標の形式で動きの線図を得る請求項４２に記載の方法。
【請求項４４】
前記ユーザ・ユニットが、各位置に関し符号化された形式の少なくとも２つの座標を記録することにより前記情報を記録し、前記符号化された座標をデコードし、更に、前記中央ユニットへの前記情報内に少なくとも前記座標を含ませる請求項２９〜４３の何れか１つに記載の方法。
【請求項４５】
前記ユーザ・ユニットは、
前記記録された位置が、記録された情報を前記ユーザ・ユニットから前記中央ユニットへ送信開始する動作に関連付けられたエリア内であるか否かを確認し、
前記エリア内である場合には、前記情報を前記中央ユニットへ送信する請求項２９〜４４の何れか１つに記載の方法。
【請求項４６】
コンピュータ・システムで読み取り可能なディジタル情報のための記憶媒体であって、
前記記憶媒体には、ユーザ・ユニットが位置符号化パターンを用いて製品から記録した情報を取り扱うためのコンピュータ・プログラムが記憶されており、
位置符号化パターンにより定義される仮想表面に、情報の取り扱いを制御するための複数の領域が設けられており、前記領域のそれぞれに関しての科目が、前記コンピュータ・システムに記憶されており、
前記コンピュータ・プログラムは、
前記ユーザ・ユニットから受信した情報に含まれる仮想表面上の少なくとも１つの位置が属する領域を識別し、識別した前記領域に関して記憶された科目に基づいて前記情報の取り扱い方を決定するよう、プロセッサを動作させる命令を備えることを特徴とする記憶媒体。
【請求項４７】
位置を定義する少なくとも２つの座標を記録するよう構成されている情報を記録するためのユーザ・ユニットであって、
前記座標が仮想表面上の第１又は第２のエリアの何れにおける位置を表しているかを決定し、該位置が前記第１のエリアに属している場合に、前記少なくとも２つの座標を含むメッセージを所定の外部ユニットへ送信する手段を備えたことを特徴とするユーザ・ユニット。
【請求項４８】
ディジタル・ペンを含むハンドヘルド・デバイスである請求項４７に記載のユーザ・ユニット。